(57)【要約】【課題】  先行車両の洗車中に後続車両の洗車を受付けることができる洗車機において、洗車受付ができるようになったことを後続車両の運転者に的確に素早く気付かせるようにして洗車機の稼働率を高める。【解決手段】  後続車両の洗車の受付ができることを表示する表示装置１３を、車両入口ＥＮに対面する洗車機本体１の前面に設ける。【選択図】    図１
2010126018.tif 000002
【特許請求の範囲】
【請求項１】
車両を停車させて洗車するための車両洗車位置と、その車両洗車位置の一側にあって洗車すべき車両を車両洗車位置に進入させるための車両入口と、前記車両洗車位置の他側にあって洗車後の車両を退出させるための車両出口とが設定され、車両を洗車し得る洗車手段を有する洗車機本体を走行させて車両洗車位置に停車した車両を洗車し、前記洗車中に異常を検出して実行中の洗車を停止させる異常検出手段と、前記車両入口の手前に設置された洗車受付装置と、前記洗車受付装置で洗車受付ができることを報知する報知手段と、洗車が洗車途中の所定動作まで進行したことを検出する動作検出手段とを備え、前記洗車受付装置が先行車両の洗車を受け付けると後続車両の洗車受付を停止し、前記所定動作まで進行したことを前記動作検出手段が検出すると、前記洗車受付の停止を解除し前記報知手段で後続車両の洗車受付ができることを報知する洗車機において、
前記報知手段は、車両入口と対面する、洗車機本体の前面に設けた表示装置であることを特徴とする、洗車機。
【請求項２】
前記表示装置は、洗車待ち時間を表示することを特徴とする、前記請求項１記載の洗車機。
【請求項３】
前記後続車両の洗車受付を停止しているときに、受付待ち時間を前記表示装置に表示することを特徴とする、前記請求項１または２記載の洗車機。
【発明の詳細な説明】
【技術分野】
【０００１】
本発明は、車両洗車位置に車両を停車させて洗車を行なうようにした洗車機において、先行車両の洗車中に後続車両の洗車を受付けることができるようにした、洗車機に関する。
【背景技術】
【０００２】
従来、車両洗車位置に車両を停車させて洗車を行なうようにした洗車機において、先行車両の洗車中に後続車両の洗車を受付けることができるようにして、単位時間当りの洗車台数を増加を図るようにしたものは、公知（後記特許文献１参照）である。
【特許文献１】特許第２９２３８２４号公報
【０００３】
また、かかる洗車機においては、洗車中に異常検出手段が作動して洗車機本体が異常停止することは、洗車機本体の第１往行時に異常検出手段としての車幅センサーが作動して洗車機本体が異常停止することが多い。この異常停止の場合、作業者は電源を切って異常を解消してから洗車を再開する。電源を切ると後続車両の受付済の記憶が消えるため、後続車両は再度受付操作を行なわなければならず、洗車機を管理する作業員の手間がかかる。
【０００４】
そこで、この手間を省くために、洗車機本体の第１往行時には、後続車両の洗車受付を停止し、洗車機本体の第１往行が終了すると、受付停止を解除して洗車受付ができるようにすると共にスピーカーで洗車受付ができることを後続車両の運転者に報知することが行なわれている。
【発明の開示】
【発明が解決しようとする課題】
【０００５】
ところが、上記のように、先行車両の洗車途中に受付停止を解除して洗車受付ができるようにすると、後続車両の運転者は、スピーカーの報知を聞き落とし、特に周囲の雑音が大きいときには、その聞き落としの公算が高くなって、先行車両の洗車が終了してから洗車受付ができることに気付くことが多くなり、洗車機の稼働率が低下するという問題があった。
【０００６】
本発明は、後続車両の運転者が、先行車両の洗車途中で洗車受付が可能になったことを素早く的確に気付くようにして、前記問題を解決できるようにした、新規な洗車機を提供することを目的とする。
【課題を解決するための手段】
【０００７】
前記目的達成のため、請求項１記載の発明は、車両を停車させて洗車するための車両洗車位置と、その車両洗車位置の一側にあって洗車すべき車両を車両洗車位置に進入させるための車両入口と、前記車両洗車位置の他側にあって洗車後の車両を退出させるための車両出口とが設定され、車両を洗車し得る洗車手段を有する洗車機本体を走行させて車両洗車位置に停車した車両を洗車し、前記洗車中に異常を検出して実行中の洗車を停止させる異常検出手段と、前記車両入口の手前に設置された洗車受付装置と、前記洗車受付装置で洗車受付ができることを報知する報知手段と、洗車が洗車途中の所定動作まで進行したことを検出する動作検出手段とを備え、前記洗車受付装置が先行車両の洗車を受け付けると後続車両の洗車受付を停止し、前記所定動作まで進行したことを前記動作検出手段が検出すると、前記洗車受付の停止を解除し前記報知手段で後続車両の洗車受付ができることを報知する洗車機において、
前記報知手段は、車両入口と対面する、洗車機本体の前面に設けた表示装置であることを特徴としている。
【０００８】
前記目的達成のため、請求項２記載の発明は、前記請求項１記載のものにおいて、前記表示装置は、洗車待ち時間を表示することを特徴としている。
【０００９】
前記目的達成のため、請求項３記載の発明は、前記請求項１または２記載のものにおいて、前記後続車両の洗車受付を停止しているときに、受付待ち時間を前記表示装置に表示することを特徴としている。
【発明の効果】
【００１０】
請求項各項の発明によれば、後続車両の洗車受付ができることを、表示装置に表示することができ、その表示装置は、後続車両の運転者が洗車したい意図のもとに注目している洗車機本体に設けられ、しかも後続車両の運転者の目に入り易い、車両入口と対面する洗車機本体の前面に配置されるので、洗車受付ができるようになったことを後続車両の運転者に素早く的確に気付かせることができ、洗車機の稼働率が低下するのを防止することができる。
【００１１】
特に、請求項２の発明によれば、洗車待ち時間を表示するので、後続車両の運転者が洗車待ちを焦れったく思うのを防止できる。また、後続車両の運転者が洗車待ちを焦れったく思うのを防止できることにより、車両を車両入口を通って車両洗車位置に進入させて車両洗浄位置に停止させる操作を行うときに、運転者は、その操作を落ち着いて行うことができ、停止位置を通過してしまったり、車両を車両洗浄位置から左右に食み出させたりするするミスを犯すのを防止することができる。
【００１２】
特に、請求項３の発明によれば、表示装置に受付待ち時間を表示するので、後続車両の運転者が受付待ちを焦れったく思うのを防止でき、また後続車両の運転者を表示装置に注目させることができるので、洗車受付ができるようになったことに後続車両の運転者が気付かないことを、より的確に防止でき、洗車機の稼働率の低下を防止することができる。
【発明を実施するための最良の形態】
【００１３】
本発明の実施の形態を、添付図面に例示した本発明の実施例に基づいて以下に具体的に説明する。
【００１４】
図１は、洗車機の全体平面図、図２は、洗車機の全体側面図、図３は、図２の３−３線に沿う洗車機本体の拡大正面図、図４は、洗車機の作用を示すフローチャートである。
【００１５】
図１〜３において、洗車機の洗車機本体１は、被洗車車両Ｖを跨ぎ得る門型のフレーム２を備え、この門型フレーム２に設けられた左右一対の前車輪３，３および左右一対の後車輪４，４は、設置面上に敷設される左右一対の走行レール５，５上を往復走行する。前車輪３，３には、洗車機本体１に設けた走行モータ６，６が連結され、これらの走行モータ６，６を駆動して門型フレーム２を一対の走行レール５，５上を往復走行させることができる。
【００１６】
洗車機の設置面上には、スタート位置カム７が設けられている。また、洗車機の走行フレーム２には、スタート位置カム７に当たって洗車機本体１がスタート位置にあることを検出するスタート位置検出スイッチ８が設けられている。
【００１７】
門型のフレーム２には、その前後方向の中間部に、車両Ｖの前面および上面を洗車するトップブラシ９が昇降可能に設けられ、また、そのトップブラシ９の後方に、車両Ｖの左、右両側面を洗車する左、右サイドブラシ１０，１０が左右方向に開閉可能に設けられ、さらに、その後部には、車両Ｖの上面を乾燥する昇降可能なトップノズル１１および車両Ｖの側面を乾燥するサイドノズル１２，１２設けられている。
【００１８】
しかして、前記トップブラシ９，サイドブラシ１０，１０、トップノズル１１およびサイドノズル１２，１２は、従来公知の構造を備えており、本発明にかかる洗車手段を構成している。
【００１９】
図３に明瞭に示すように、門型フレーム２の前面の上部中央には、表示装置１３が設けられ、また、その前部両側には、異常検出手段としての車幅センサー１４Ａ，１４Ｂが設けられ、さらに、その前部一側には、制御盤１５が設けれれている。制御盤１５内には、洗車機を作動制御する制御装置１６が装備され、また、制御盤１５の前面には、復行キー１７とスタートキー１８とが並設されている。
【００２０】
しかして、前記制御装置１６および後述する光電センサー１９が協働して、本発明にかかる動作検出手段を構成している。
【００２１】
門型フレーム２の後部には、投光器１９ａと受光器１９ｂとからなる光電センサー１９が設けられ、この光電センサー１９の光軸１９ｃ（図１鎖線）が、車両Ｖの後端で遮光から透過に変化することにより、車両Ｖの後端を検出できるようになっている。
【００２２】
左右一対の走行レール５，５間には、車両Ｖを停車させて洗車するための車両洗車位置Ｖ２が設定され、また、走行レール５，５の前方（図１，２右側）には、車両入口ＥＮが、またその後方（図１，２左側）には洗車出口ＥＸが設けられる。そして、前記車両入口ＥＮは、洗車機本体１の前面と対面している。
【００２３】
走行レール５，５の後方の洗車出口ＥＸの横には、案内表示器２７が設置されている。      
【００２４】
走行レール５，３間の車両洗車位置Ｖ２には、ストッパー２０およびこれに近づけて光電センサー２１が設けられている。光電センサー２１は、投光器２１ａと受光器２１ｂとからなり、その光軸２１ｃ（図１鎖線）が車両Ｖの右前輪により遮光されることにより、車両Ｖを検出できるようになっている。
【００２５】
そして、車両洗車位置Ｖ２に進入してきた車両Ｖの右車輪を、ストッパー２０に当てて停車させることにより、その車両Ｖを車両洗車位置Ｖ２に停車させることができ、また光電センサー２１は、車両Ｖの右車輪を検出することで、車両Ｖが車両洗車位置Ｖ２に停車したことを検出できるようになっている。
【００２６】
車両入口ＥＮの前方の一側には、遮断機２２が設置されている。また、遮断機２２の前方には受付装置２３が設置されており、この受付装置２３には、スピーカー２４、料金受入装置２５、スタートキー２６およびフェンダーポール、キャリヤ等の付属機器の回避動作を行なわせる回避キーｋ１，ｋ２…が設けられている。また走行レール５，５の前方には、前記受付装置２３の横に車両受付位置Ｖ１が設定されている。
【００２７】
つぎに、この実施例の作用について説明する。
【００２８】
洗車機本体１が待機状態にあるときは、洗車機本体１が図１，２に実線で示すように、一対の走行レール５，５の左端のスタート位置にあり、またトップブラシ９およびトップノズル１１は上限位置にあり、またサイドブラシ１０，１０は左右に開いた開限位置にあり、さらに遮断機２２は閉じている状態にある。
【００２９】
制御装置１６は、ステップＳ１において、洗車受付が完了したか否かを判断する。
【００３０】
このステップＳ１において、車両Ｖの運転者が受付装置２３の横の車両受付位置Ｖ１に車両Ｖを停車させて、料金受入装置２５に所定の料金を入れる。車両Ｖにフェンダーやキャリヤなどの付属機器が装着されているときは、その付属機器に該当する回避キーｋ１，ｋ２…を選択的に押し、次にスタートキー２６を押す。スタートキー２６が押されると洗車受付が完了してステップＳ２へ進む。
【００３１】
ステップＳ２において、制御装置１６は、受付装置２３の洗車受付を停止させ、洗車待ち時間と受付待ち時間とを表示装置１３に表示を開始させて、ステップＳ３に進む。
【００３２】
洗車待ち時間の表示は、例えば、洗車待ち時間が３分付近で所定時間（例えば５秒間）「洗車待ち３分」と、洗車待ち時間が２分付近で所定時間（例えば５秒間）「洗車待ち２分」と、洗車待ち時間が１分付近で所定時間（例えば５秒間）「洗車待ち１分」と表示する。
【００３３】
また、受付待ち時間の表示は、例えば、受付待ち時間が１分３０秒付近で所定時間（例えば５秒間）「受付待ち１分３０秒」と、受付待ち時間が１分付近で所定時間（例えば５秒間）「受付待ち１分」と、受付待ち時間が３０秒付近で所定時間（例えば５秒間）「受付待ち３０秒」と表示する。
【００３４】
ステップＳ３において、制御装置１６は、光電センサー２１が遮光された状態を所定時間継続したか、すなわち光電センサー２１が、車両Ｖの右前輪で遮光された状態を所定時間継続したかを判断する。
【００３５】
車両Ｖが受付位置Ｖ１から前進して車輌入口ＥＮを通って車両洗車位置Ｖ２に進入し、右前輪がストッパー２０に当たって停止する。このとき、光電センサー２１が所定時間継続して遮光されると、車両Ｖが車両洗車位置Ｖ２に停止したとして制御装置１６はステップＳ４へ進む。
【００３６】
ステップＳ４において、制御装置１６は、遮断機２２を閉じさせ、洗車を開始させてステップＳ５へ進む。
【００３７】
洗車の開始により、洗車機本体１は、スタート位置と往行終了位置１Ａ間を１．５往復して、車両Ｖを前記洗車手段により洗車する。
【００３８】
なお、車両Ｖの運転者は洗車の行われている間、車両Ｖに乗ったままでいる。
【００３９】
ステップＳ５において、制御装置１６は、洗車機本体１の第１往行が終了したかを判断する。
【００４０】
洗車機本体１が、図１，２に２点鎖線で示す往行終了位置１Ａになり、光電センサー１９が遮光から透過に変わると、すなわち光電センサー１９が車両の後端を検出すると、制御装置１６は、洗車機本体１６は洗車機本体１の第１往行が終了したと判断してステップＳ６へ進む。
【００４１】
ステップＳ６において、制御装置１６は、受付装置２３の洗車受付停止を解除して洗車の受付を可能とし、表示装置１３に洗車受付ができることを表示させてステップＳ７へ進む。
【００４２】
これにより、表示装置１３は、図３に示すように、「次の洗車の受付ができます。受付をしてお待ち下さい。」を所定時間（例えば５秒）表示する。
【００４３】
ステップＳ７において、制御装置１６は、洗車が終了したかを判断する。
【００４４】
洗車機本体１がスタート位置まで第１復行し、次に洗車機本体１が第２往行して往行終了位置１Ａになり、光電センサー１９が遮光から透過になると、制御装置１６は、洗車が終了したと判断してステップＳ８へ進む。
【００４５】
ステップＳ８において、制御装置１６は、案内表示器２７に「洗車終了」を表示させる  。
【００４６】
車両洗車位置Ｖ２に停車している洗車の終わった車両Ｖの運転者は、案内表示器２７の「洗車終了」の案内表示により車両出口ＥＸから車両Ｖを退場させる。
【００４７】
ステップＳ５において、洗車機本体１の第１往行が終了していないときは、ステップＳ９へ進む。
【００４８】
ステップＳ９において、制御装置１６は、異常検出手段としての車幅センサー１４Ａ，１４Ｂが異常を検出したかを判断する。異常を検出していないときはステップＳ５へ戻る。異常を検出するとステップＳ１０へ進む。
【００４９】
ステップＳ１０において、制御装置１６は、洗車機本体１の洗車動作を停止させて、ステップＳ１１へ進む。
【００５０】
ステップＳ１１において、制御装置１６は、スタートキー１８が押されたかを判断する。
【００５１】
図示されていない異常報知手段の報知により、洗車機を管理する作業者は、異常を解消する作業を行う。作業者は、異常の程度により電源を切って異常を解消してから、電源を入れてスタートキー１８を押す。
【００５２】
スタートキー１８が押されると、制御装置１６は洗車を再開させてステップＳ５へ戻る。
【００５３】
以上、本発明の実施例について説明したが、本発明はその実施例に限定されることなく、本発明の範囲内で種々の実施例が可能である。
【００５４】
たとえば、前記表示装置１３には、前記表示の外に洗車の宣伝や商品の宣伝等の宣伝やその他の文字、模様、図柄等を派手に表示してもよい。これにより、後続車両の運転者を受付待ち中に表示される宣伝やその他の文字、模様、図柄等により、表示装置１３の注目度を高めることができるので、洗車受付ができるようになったことに後続車両の運転者が気付かないことを、より確実に防止でき、洗車機の稼働率が低下するのを防止できる。
【図面の簡単な説明】
【００５５】
【図１】洗車機の全体平面図
【図２】洗車機の全体側面図
【図３】図２の３−３線に沿う洗車機本体の拡大正面図
【図４】洗車機の作用を示すフローチャート
【符号の説明】
【００５６】
１・・・・・・・・・・洗車機本体
９・・・・・・・・・洗車手段（トップブラシ）
１０・・・・・・・・洗車手段（サイドブラシ）
１１・・・・・・・・洗車手段（トップノズル）
１２・・・・・・・・洗車手段（サイドノズル）
１３・・・・・・・・表示装置（報知手段）
１４Ａ，１４Ｂ・・・車幅センサー
１６・・・・・・・・動作検出手段（制御装置）
１９・・・・・・・・動作検出手段（光電センサー）
２３・・・・・・・・洗車受付装置
ＥＮ・・・・・・・・車両入口
ＥＸ・・・・・・・・車両出口
Ｖ・・・・・・・・・車両
Ｖ２・・・・・・・・車両洗車位置
【図１】
2010126018.tif 000003
【図２】
2010126018.tif 000004
【図３】
2010126018.tif 000005
【図４】
2010126018.tif 000006